(57)【要約】【課題】容易に溶断できる屈曲線材と、裏当材に用いる鋼板ブロックとからなる簡易な構成で、且つその鋼板ブロックを容易に転用可能な構成とすることにより、経済性、施工性、及び環境保全性に非常に優れた構成サイロの外壁パネル接合用ガイドピース、および鋼製サイロの外壁パネルの接合方法を提供する。【解決手段】鋼製サイロを構成する外壁パネル１０の端縁同士を周方向又は鉛直方向に突き合わせ溶接接合するための外壁パネル接合用ガイドピース１において、前記ガイドピース１は、屈曲線材３と鋼板ブロック４とからなり、前記屈曲線材３は、屈曲部３ａと該屈曲部３ａから伸びる両腕部３ｂとからなる楔挿入部２を有し、前記鋼板ブロック４のほぼ中央部の左右両側に前記両腕部３ｂが接合されている。【選択図】図１
2012001917.tif 000002
【特許請求の範囲】
【請求項１】
鋼製サイロを構成する外壁パネルの端縁同士を周方向又は鉛直方向に突き合わせ溶接接合するための外壁パネル接合用ガイドピースにおいて、
前記ガイドピースは、屈曲線材と鋼板ブロックとからなり、
前記屈曲線材は、屈曲部と該屈曲部から伸びる両腕部とからなる楔挿入部を有し、前記鋼板ブロックのほぼ中央部の左右両側に前記両腕部が接合されていることを特徴とする、鋼製サイロの外壁パネル接合用ガイドピース。
【請求項２】
前記屈曲線材は、その両腕部を、鋼板ブロックの中央部の幅方向両端近くに設けた貫通孔へほぼ直角方向に通し、抜け止め手段を施して鋼板ブロックに取り付けられていることを特徴とする、請求項１に記載した鋼製サイロの外壁パネル接合用ガイドピース。
【請求項３】
前記屈曲線材は、その両腕部を、鋼板ブロックの中央部の幅方向両端に設けた溝へほぼ直角方向に通し、抜け止め手段を施して鋼板ブロックに取り付けられていることを特徴とする、請求項１に記載した鋼製サイロの外壁パネル接合用ガイドピース。
【請求項４】
前記抜け止め手段は、屈曲線材の両腕部の先端部をそれぞれ内方へ屈曲させてなることを特徴とする、請求項２又は３に記載した鋼製サイロの外壁パネル接合用ガイドピース。
【請求項５】
鋼製サイロを構成する外壁パネルの端縁同士を周方向又は鉛直方向に突き合わせ溶接接合するための外壁パネル接合用ガイドピースを用いた鋼製サイロの外壁パネルの接合方法において、
周方向又は鉛直方向に隣接する外壁パネルの内面側または外面側に跨るように前記ガイドピースの平面部を当てがい、該ガイドピースから突出した楔挿入部を有する楔保持部を前記隣接する外壁パネルの間から外面側または内面側に突き出させた後、
前記突き出た楔保持部の楔挿入部内に楔を挿入し、当該隣接する外壁パネルで挟持させて、隣接する外壁パネルの面の段違いをなくすこと、
次いで、隣接する外壁パネルの突き合わせ縁間における前記ガイドピースを除く部位を溶接した後、
前記楔を取り外し、前記突き出た楔保持部を当該隣接する外壁パネルの外面側および内面側で溶断すること、
前記溶断することにより形成された隙間を溶接し、もって周方向又は鉛直方向に隣接する外壁パネルを溶接接合することを特徴とする、鋼製サイロの外壁パネルの接合方法。
【請求項６】
下位の外壁パネルと、該下位の外壁パネルよりパネル厚が薄い上位の外壁パネルとを鉛直方向に突き合わせ溶接する場合、前記下位および上位の外壁パネルの内面側又は外面側を面一に揃え、該面一に揃えた側に前記ガイドピースの平面部を当てがうことを特徴とする、請求項５に記載した鋼製サイロの外壁パネルの接合方法。
【請求項７】
前記楔保持部を溶断した後の前記平面部に新たな楔保持部を取り付けてなる前記ガイドピースを用い、周方向又は鉛直方向に隣接する外壁パネルを溶接接合することを特徴とする、請求項５又は６に記載した鋼製サイロの外壁パネルの接合方法。
【発明の詳細な説明】
【技術分野】
【０００１】
この発明は、鋼製サイロを構成する外壁パネルの端縁同士を周方向又は鉛直方向に突き合わせ溶接接合するために用いられる外壁パネル接合用ガイドピース、および鋼製サイロの外壁パネルの接合方法の技術分野に属する。
前記ガイドピースは、同ガイドピースに形成した楔挿入部内に挿入する楔とで、周方向又は鉛直方向に突き合わせ溶接接合する外壁パネルの面の段違いをなくす案内部材としての役割を果たすものである。
【背景技術】
【０００２】
前記ガイドピースは、従来、図１２に示したように、両端部異径の長孔ｂの小径側の端縁部に沿ってほぼ鉛直な棒状部材（ピン）ｃを一体的に固着した鋼板ａが用いられている（例えば、特許文献１の第２図、第４図、特許文献２の第２図、及び特許文献３の第３図の符号１２を参照）。
このガイドピースは、隣接する外壁パネル同士の間に１５０ｍｍ〜４００ｍｍ程度のピッチで多数用いられ、図１３に実施例を示したように、長孔ｂ内に挿入する楔ｄとで、鉛直方向（又は周方向）に突き合わせ溶接接合する外壁パネル１０、１０の面の段違いをなくす目的で用いられる。
【０００３】
具体的に、従来のガイドピースは、図１３に示したように、鋼板ａに固着した棒状部材ｃを鉛直方向（又は周方向）に隣接する外壁パネル１０、１０に跨るように当てがい、当該隣接する外壁パネル１０、１０の突き合わせ縁間から鋼板ａを突き出させ、鋼板ａの長孔ｂ内に楔ｄを打ち込み、隣接する外壁パネル１０、１０の面の段違いをなくし、その後に行う突き合わせ溶接接合作業に供される。
【０００４】
前記突き合わせ溶接接合作業は、前記外壁パネル１０、１０の突き合わせ縁間の目地に沿って、前記ガイドピース（鋼板ａ）を除く部位を断続的に溶接し、しかる後、ガイドピース取付部位に生じた隙間を溶接し、もって鉛直方向（又は周方向）に隣接する外壁パネル１０、１０を隙間なく溶接接合する手順で行われる。
【先行技術文献】
【特許文献】
【０００５】
【特許文献１】特公昭５３−１６６１２号公報
【特許文献２】特公昭５９−３３４７８号公報
【特許文献３】特開昭５８−１５３８６８号公報
【発明の概要】
【発明が解決しようとする課題】
【０００６】
前記突き合わせ溶接接合作業において、前記ガイドピース取付部位に生じた隙間を溶接する場合、ガイドピース（鋼板ａ）の両外側部が溶接されて隣接する外壁パネル１０、１０に固着されているため、楔ｄを取り外して撤去することはできても、ガイドピース自体を引き抜いて撤去することはできなかった。よって、図１４に示したように、両外側部が溶接されたガイドピースを、隣接する外壁パネル１０、１０の外面側および内面側で溶断し、溶断することにより現れた（形成された）隙間ｅ部を溶接し、もって鉛直方向（又は周方向）に隣接する外壁パネルを突き合わせ溶接接合していた。
【０００７】
したがって、溶断されて撤去されたガイドピース片Ｘ、Ｙ（図１４参照）は、転用することができず、廃材になるほかなかった。鋼製サイロを構築する際に用いるガイドピースは数百個程度用いる場合も少なくなく、数百個ものガイドピースを使い捨てにせざるを得ない現状は、環境問題が重要視される今日においては改善されるべき点である。
特に従来のガイドピースは、図１２に示したように、１枚の鋼板ａに両端部異径の長孔ｂを穿設した上で、棒状部材ｃを裏当に適正な角度を保持しながら長孔ｂの小径側の端縁部に沿って溶接により一体的に固着して成形している。よって、熟練技術を必要とするなど非常に手間がかかり材料費等を含めた製造コストが嵩む。このような部材単価が嵩むガイドピースをすべて使い捨てにせざるを得ない現状をも考慮すると、不経済に過ぎ、環境保全の面および経済面での負担がすこぶる大きいという問題があった。
【０００８】
ところで、特許文献１に係る第２頁第４欄の１９〜２１行目には、「・・・本付溶接する。そしてテーパーピン２３を抜き取り、スペーサー１７を外方よりたたいて取り除きその隙間を溶接する。」との記載が認められる。
しかし、両外側部が本付溶接されたスペーサー１７（ガイドピース）を取り除く作業は至難である。特に、鉛直方向に隣接する（積み重ねる）外壁パネルの突き合わせ溶接接合においては、当該外壁パネルの自重作用もありガイドピースを取り除くことは不可能に近い。仮に取り除くことができたとしても作業に難渋することは明らかな上に、ガイドピースの取付数に応じて数百回程度行うことを考えると、作業効率があまりにも悪く、作業工程、工期の進捗に大きな障害となるし、労務費の負担も大きいという別の問題が生じることは明らかである。
よって、実際の現場作業においては、図１４に示したように、ガイドピースを溶断する手法を採用しているのが実情であり、上記段落[0007]と同様の問題があった。
【０００９】
また、特許文献２に係る第１頁第２欄の３０〜３１行目には、「スペーサ５０はこの溶接の際に溶接しながら取り外していく。」との記載が認められる。
しかし、目地部を溶接接合しながらスペーサ５０（ガイドピース）を取り外す作業は、熟練技術を必要とする。特に、鉛直方向に隣接する（積み重ねる）外壁パネルの突き合わせ溶接接合においては当該外壁パネルの自重作用もあり、作業に難渋することは明らかな上に、なにより厳密な水平度が要求される鋼製サイロの構築には不適切であった。
よって、実際の現場作業においてはやはり、図１４に示したように、ガイドピースを溶断する手法を採用しているのが実情であり、上記段落[0007]と同様の問題があった。
【００１０】
本発明の目的は、容易に溶断できる屈曲線材と、裏当材に用いる鋼板ブロックとからなる簡易な構成で、且つその鋼板ブロックを容易に転用可能な構成とすることにより、経済性、施工性、及び環境保全性に非常に優れた構成サイロの外壁パネル接合用ガイドピース、および鋼製サイロの外壁パネルの接合方法を提供することにある。
【課題を解決するための手段】
【００１１】
上記背景技術の課題を解決するための手段として、請求項１に記載した発明に係る鋼製サイロの外壁パネル接合用ガイドピースは、鋼製サイロを構成する外壁パネルの端縁同士を周方向又は鉛直方向に突き合わせ溶接接合するための外壁パネル接合用ガイドピースにおいて、前記ガイドピースは、屈曲線材と鋼板ブロックとからなり、前記屈曲線材は、屈曲部と該屈曲部から伸びる両腕部とからなる楔挿入部を有し、前記鋼板ブロックのほぼ中央部の左右両側に前記両腕部が接合されていることを特徴とする。
【００１２】
請求項２に記載した発明は、請求項１に記載した鋼製サイロの外壁パネル接合用ガイドピースにおいて、前記屈曲線材は、その両腕部を、鋼板ブロックの中央部の幅方向両端近くに設けた貫通孔へほぼ直角方向に通し、抜け止め手段を施して鋼板ブロックに取り付けられていることを特徴とする。
【００１３】
請求項３に記載した発明は、請求項１に記載した鋼製サイロの外壁パネル接合用ガイドピースにおいて、前記屈曲線材は、その両腕部を、鋼板ブロックの中央部の幅方向両端に設けた溝へほぼ直角方向に通し、抜け止め手段を施して鋼板ブロックに取り付けられていることを特徴とする。
【００１４】
請求項４に記載した発明は、請求項２又は３に記載した鋼製サイロの外壁パネル接合用ガイドピースにおいて、前記抜け止め手段は、屈曲線材の両腕部の先端部をそれぞれ内方へ屈曲させてなることを特徴とする。
【００１５】
請求項５に記載した発明に係る鋼製サイロの外壁パネルの接合方法は、鋼製サイロを構成する外壁パネルの端縁同士を周方向又は鉛直方向に突き合わせ溶接接合するための外壁パネル接合用ガイドピースを用いた鋼製サイロの外壁パネルの接合方法において、
周方向又は鉛直方向に隣接する外壁パネルの内面側または外面側に跨るように前記ガイドピースの平面部を当てがい、該ガイドピースから突出した楔挿入部を有する楔保持部を前記隣接する外壁パネルの間から外面側または内面側に突き出させた後、
前記突き出た楔保持部の楔挿入部内に楔を挿入し、当該隣接する外壁パネルで挟持させて、隣接する外壁パネルの面の段違いをなくすこと、
次いで、隣接する外壁パネルの突き合わせ縁間における前記ガイドピースを除く部位を溶接した後、
前記楔を取り外し、前記突き出た楔保持部を当該隣接する外壁パネルの外面側および内面側で溶断すること、
前記溶断することにより形成された隙間を溶接し、もって周方向又は鉛直方向に隣接する外壁パネルを溶接接合することを特徴とする。
【００１６】
請求項６に記載した発明は、請求項５に記載した鋼製サイロの外壁パネルの接合方法において、下位の外壁パネルと、該下位の外壁パネルよりパネル厚が薄い上位の外壁パネルとを鉛直方向に突き合わせ溶接する場合、前記下位および上位の外壁パネルの内面側又は外面側を面一に揃え、該面一に揃えた側に前記ガイドピースの平面部を当てがうことを特徴とする。
【００１７】
請求項７に記載した発明は、請求項５又は６に記載した鋼製サイロの外壁パネルの接合方法において、前記楔保持部を溶断した後の前記平面部に新たな楔保持部を取り付けてなる前記ガイドピースを用い、周方向又は鉛直方向に隣接する外壁パネルを溶接接合することを特徴とする。
【発明の効果】
【００１８】
請求項１〜請求項４に係る鋼製サイロの外壁パネル接合用ガイドピース（図１、図７参照）および請求項５〜請求項７に係る鋼製サイロの外壁パネルの接合方法（図２〜図６、図８〜図１１参照）によれば、従来技術に係る前記ガイドピース（図１２参照）、および鋼製サイロの外壁パネルの接合方法（図１３、図１４参照）と比して、以下の作用効果を奏する。
１）前記ガイドピースを、屈曲線材を鋼板ブロックに取り付けるだけの簡易な構成で実施できるので、熟練技術も無用となり、部材単価の削減に寄与する。
２）溶断する対象は細い屈曲線材のみであるから、簡易でスムーズな溶断作業を行うことができ、施工性も向上する。
３）前記屈曲線材を溶断した後の鋼板ブロックは、前記ガイドピースの製作に容易に転用できるのでコスト削減に大きく寄与すると共に、環境保全性に優れている。
上記１）〜３）に係る各作用効果は、鋼製サイロを構築するにあたり、通常、数百個程度の前記ガイドピースを用いることを考慮すると顕著にあらわれる。よって、経済性、施工性、及び環境保全性に非常に優れた前記ガイドピース、および鋼製サイロの外壁パネルの接合方法を実現することができる。
【図面の簡単な説明】
【００１９】
【図１】実施例１に係る鋼製サイロの外壁パネル接合用ガイドピースを表した斜視図と６面図である。
【図２】Ａは、図１に係るガイドピースを用いて周方向に隣接する外壁パネルを接合する状態を示した斜視図であり、Ｂは、前記ガイドピースの取付要領を例示した斜視図である。
【図３】図２に係るガイドピースを周方向に隣接する外壁パネルの外面側および内面側で溶断した状態を拡大して示した斜視図である。
【図４】Ａは、図１に係るガイドピースを用いて鉛直方向に隣接する外壁パネルを接合する状態を示した斜視図であり、Ｂは、前記ガイドピースの取付要領を例示した斜視図である。
【図５】図４に係るガイドピースを鉛直方向に隣接する外壁パネルの外面側および内面側で溶断した状態を拡大して示した斜視図である。
【図６】Ａ、Ｂはそれぞれ、請求項６に記載した発明に係る鋼製サイロの外壁パネルの接合方法の実施例を示した立面図である。
【図７】実施例２に係る鋼製サイロの外壁パネル接合用ガイドピースを表した斜視図と６面図である。
【図８】Ａは、図７に係るガイドピースを用いて周方向に隣接する外壁パネルを接合する状態を示した斜視図であり、Ｂは、前記ガイドピースの取付要領を例示した斜視図である。
【図９】図８に係るガイドピースを周方向に隣接する外壁パネルの外面側および内面側で溶断した状態を拡大して示した斜視図である。
【図１０】Ａは、図７に係るガイドピースを用いて鉛直方向に隣接する外壁パネルを接合する状態を示した斜視図であり、Ｂは、前記ガイドピースの取付要領を例示した斜視図である。
【図１１】図１０に係るガイドピースを鉛直方向に隣接する外壁パネルの外面側および内面側で溶断した状態を拡大して示した斜視図である。
【図１２】従来技術に係る鋼製サイロの外壁パネル接合用ガイドピースを表した斜視図である。
【図１３】図１２に係る前記ガイドピースを用いて鉛直方向に隣接する外壁パネルを接合する状態を示した斜視図である。
【図１４】図１３に係る前記ガイドピースを鉛直方向に隣接する外壁パネルの外面側および内面側で溶断した状態を示した斜視図である。
【発明を実施するための形態】
【００２０】
本発明に係る鋼製サイロの外壁パネル接合用ガイドピース（以下、単にガイドピースという。）、および鋼製サイロの外壁パネルの接合方法の実施例を、以下、図面に基づいて説明する。
【実施例１】
【００２１】
図１は、実施例１に係るガイドピース１を示している。このガイドピース１は、鋼製サイロ９を構成する外壁パネル１０の端縁同士を、図２Ａ又は図４Ａに示したように、周方向又は鉛直方向に突き合わせ溶接接合するために用いるガイドピース１であり、屈曲線材３と鋼板ブロック４とからなる。前記屈曲線材３は、屈曲部３ａと該屈曲部３ａから伸びる両腕部３ｂとからなる楔挿入部２を有し、前記鋼板ブロック４のほぼ中央部の左右両側に前記両腕部３ｂが接合されている。
【００２２】
具体的に、前記ガイドピース１は、隣接する外壁パネル１０、１０の突き合わせ縁間に介在させる金属製の屈曲線材３と、当該外壁パネル１０、１０に跨る裏当用の金属製の鋼板ブロック４とからなる。
図示例に係る屈曲線材３は、屈曲部３ａと両腕部３ｂとで、テーパー部を有する楔５を打ち込むのに適正な大きさのＵ字状の楔挿入部２を形成し、その両腕部３ｂを、鋼板ブロック４の中央部の幅方向両端近くに設けた貫通孔４ａへほぼ直角方向に通し、抜け止め手段を施して鋼板ブロック４に取り付けられている。
なお、図示例に係る屈曲線材３の楔挿入部２はＵ字状で実施しているがこれに限定されず、楔５を挿入することができれば、Ｖ字状でも角形状でも同様に実施することができる。
【００２３】
前記抜け止め手段は、屈曲線材３の両腕部３ｂの先端部をそれぞれ内方へ屈曲させるだけの簡易な構造で実施し、溶接等の接合手段は一切なされていないが、これに限定されない。例えば、鋼板ブロック４の貫通孔４ａに通した屈曲線材３の両腕部３ｂの先端を当該貫通孔４ａより太径に加工したり、内方へ屈曲した両腕部３ｂの先端部同士を点付け溶接する等の工夫は適宜行われる。
【００２４】
ちなみに、本実施例で用いるガイドピース１の寸法は、図１について、符号Ｒ＝２７．５mm、Ｓ＝１６mm、Ｔ＝４．５mm、Ｕ＝φ２．３mm、Ｖ＝２９．８mm、Ｗ＝２５mm、Ｘ＝３０mm、Ｙ＝６０mmで実施しているが勿論これに限定されず、作業員の手指で取扱い易い大きさ及び重量であればよい。ただし、前記楔５を打ち込む作業に十分に耐えうる剛性は要求される。
【００２５】
上記構成のガイドピース１を用い、周方向に隣接する外壁パネル１０、１０を接合する方法について説明する。
先ず図２Ａに示したように、前記ガイドピース１の鋼板ブロック４を、周方向に隣接する外壁パネル１０、１０の内面側（又は外面側）にほぼ均等に跨るように横向きに当てがい、前記外壁パネル１０、１０の突き合わせ縁間から外面側（又は内面側）へ楔挿入部２を突き出させた屈曲線材３を当該外壁パネル１０、１０で挟持させる構成で、複数のガイドピース１を１５０ｍｍ〜４００ｍｍ程度のピッチで位置決めして目地を揃える。
次に、前記屈曲線材３の楔挿入部２内に楔５をほぼ水平に打ち込み、隣接する外壁パネル１０、１０の面の段違いをなくす。
前記ガイドピース１の位置決めは、その屈曲線材３を、前記外壁パネル１０、１０で挟持させるまで、或いは楔５を打ち込むまで作業員が手指で押さえたり、図２Ｂに示したように、いずれか一方の外壁パネル１０の周方向端部に点付け溶接する等の手法が、作業員の員数等に応じて適宜採用される。
【００２６】
続いて、前記外壁パネル１０、１０の周方向端部の対応する位置に予め仮付けされたアングル材（寄せピース）６、６のボルト孔の位置合わせを行い、当該一致したボルト孔にボルト７を通しナット８をねじ込み締結する。かくして、隣接する外壁パネル１０、１０の目地は厳密に揃えられ、当該外壁パネル１０、１０のずり動きも確実に防止される。
しかる後、周方向に隣接する外壁パネル１０、１０の突き合わせ縁間における前記ガイドピース１を除く部位に、当該外壁パネル１０、１０の外面側及び内面側から両面溶接を行う。
【００２７】
続いて、前記楔５を楔挿入部２から取り外し、図３に示したように、前記ガイドピース１の屈曲線材３を、周方向に隣接する外壁パネル１０、１０の外面側および内面側で溶断する。屈曲線材３における前記外壁パネル１０、１０の外面側の溶断作業は、当該外壁パネル１０、１０の外側面に沿って溶断し、内面側の溶断作業は、鋼板ブロック４の裏面側の屈曲線材３（両腕部３ｂ）の屈曲部で溶断して行う。この溶断作業は、細い屈曲線材３（φ２．３mm）を溶断するだけなので、容易にスムーズに行うことができる。
ちなみに、図３中の符号１７は、前記内面側の溶断作業により鋼板ブロック４の厚み分だけ外壁パネル１０、１０の内側面から突き出した両腕部３ｂの突出部を示している。この突出部１７は、前記内面側の溶断作業後、速やかに溶断して撤去される。
【００２８】
しかる後、溶断することにより形成された隙間部１６を溶接し、もって周方向に隣接する外壁パネル１０、１０を溶接接合する。
【００２９】
以上の手順を周方向に隣接する外壁パネル１０、１０について繰り返し行うことにより、鋼製サイロの一段部分を担う円筒形リングを構築する。前記円筒形リングは、鋼製サイロの所要高さに応じて複数構築される。
なお、前記屈曲線材３を溶断することにより撤去された鋼板ブロック４は、屈曲線材３を楽に取り外すことができる。よって、溶断された屈曲線材３を取り外した鋼板ブロック４を転用し、屈曲部３ａと両腕部３ｂとからなる新たな屈曲線材３を取り付けることにより、ガイドピース１を簡易に製作（再生）することができる。再生したガイドピース１は、事後に行う外壁パネル１０、１０の溶接接合作業に使用することができる。
【００３０】
次に、鉛直方向に隣接する外壁パネル（円筒形リング）を接合する方法について説明する。
鉛直方向に隣接する外壁パネル１０、１０同士を接合する場合、先ず、周方向に隣接する外壁パネル１０、１０を繰り返し溶接接合して構築した前記円筒形リングの上に、別異に構築した円筒形リングをクレーン等の重機で吊り支持して一段積み重ねる。
前記別異の円筒形リングを積み重ねる際に、図４Ａに示したように、前記ガイドピース１の鋼板ブロック４を、鉛直方向に隣接する外壁パネル１０、１０の内面側（又は外面側）にほぼ均等に跨るように当てがい、前記外壁パネル１０、１０の突き合わせ縁間から外面側（又は内面側）へ楔挿入部２を突き出させた屈曲線材３を当該外壁パネル１０、１０で挟持させる構成で、複数のガイドピース１を１５０ｍｍ〜４００ｍｍ程度のピッチで位置決めして目地を揃える。
次に、前記屈曲線材３の楔挿入部２内に楔５をほぼ鉛直に打ち込み、隣接する外壁パネル１０、１０、ひいては円筒形リングの面の段違いをなくす。
前記ガイドピース１の位置決めは、円筒形リングを構成する外壁パネル１０の上端に単に掛け留めたり、その屈曲線材３を前記外壁パネル１０、１０で挟持させるまで、或いは楔５を打ち込むまで作業員が手指で押さえたり、図４Ｂに示したように、下位の外壁パネル１０の上端に点付け溶接する等の手法が、作業員の員数等に応じて適宜採用される。
【００３１】
なお、図示例に係る鉛直方向に隣接する外壁パネル１０、１０は、同厚（同形・同大）で実施している。よって、前記ガイドピース１は、その鋼板ブロック４を外壁パネル１０、１０の外面側に当てがって実施することも勿論できる。
ちなみに図４Ａの符号１５は、必要に応じて外壁パネル１０の上端部に仮付けされる案内板を示している。当該案内板１５は、鉛直方向の外壁パネル１０、１０の接合作業が終了次第、適宜溶断して撤去される。
【００３２】
しかる後、鉛直方向に隣接する外壁パネル１０、１０の突き合わせ縁間における前記ガイドピース１を除く部位に、当該外壁パネル１０、１０の外面側及び内面側から両面溶接を行う。
【００３３】
続いて、前記楔５を楔挿入部２から取り外し、図５に示したように、前記ガイドピース１の屈曲線材３を、鉛直方向に隣接する外壁パネル１０、１０の外面側および内面側で溶断する。屈曲線材３における前記外壁パネル１０、１０の外面側の溶断作業は、当該外壁パネル１０、１０の外側面に沿って溶断し、内面側の溶断作業は、鋼板ブロック４の裏面側の屈曲線材３（両腕部３ｂ）の屈曲部で溶断して行う。この溶断作業は、細い屈曲線材３（φ２．３mm）を溶断するだけなので、容易にスムーズに行うことができる。
ちなみに、図５中の符号１７は、前記内面側の溶断作業により鋼板ブロック４の厚み分だけ外壁パネル１０、１０の内側面から突き出した両腕部３ｂの突出部を示している。この突出部１７は、前記内面側の溶断作業後、速やかに溶断して撤去される。
【００３４】
しかる後、溶断することにより形成された隙間部１６を溶接し、もって鉛直方向に隣接する外壁パネル１０、１０、ひいては上下に積み重ねた円筒形リングを溶接接合する。
【００３５】
以上の手順を鉛直方向に隣接する外壁パネル１０、１０（円筒形リング）について、作業足場を仮設する等して繰り返し行うことにより、所要高さの鋼製サイロを構築する。
なお、前記屈曲線材３を溶断することにより撤去された鋼板ブロック４は、屈曲線材３を楽に取り外すことができる。よって、溶断された屈曲線材３を取り外した鋼板ブロック４を転用し、屈曲部３ａと両腕部３ｂとからなる新たな屈曲線材３を取り付けることにより、ガイドピース１を簡易に製作（再生）することができる。再生したガイドピース１は、事後に行う外壁パネル１０、１０の溶接接合作業に使用することができる。
【００３６】
したがって、実施例１に係るガイドピース１（図１参照）、及びガイドピースを用いた外壁パネルの接合方法（図２〜図５参照）によれば、従来技術に係るガイドピース（図１２参照）、及びガイドピースを用いた外壁パネルの接合方法（図１３、図１４参照）と比して、前記ガイドピース１を、屈曲線材３を鋼板ブロック４に取り付けるだけの簡易な構成で実施できるので、熟練技術も無用となり、部材単価の削減に寄与する。また、溶断する対象は細い屈曲線材３のみであるから、簡易でスムーズな溶断作業を行うことができ、施工性も向上する。さらに、屈曲線材３を溶断した後の鋼板ブロック４は、ガイドピース１の製作に容易に転用できるのでコスト削減に大いに寄与すると共に、環境保全性に優れている。
これらの作用効果は、鋼製サイロを構築するにあたり、通常、数百個程度のガイドピース１を用いることを考慮すると顕著にあらわれる。よって、経済性、施工性、及び環境保全性に非常に優れたガイドピース１、及び同ガイドピース１を用いた外壁パネル１０、１０の接合方法を実現することができる。
【００３７】
ちなみに鋼製サイロには、上位に積み重ねる外壁パネル（円筒形リング）のパネル厚を下位の外壁パネル（円筒形リング）のパネル厚より薄くして、構造力学上合理的な構造で構築するものがある。このような構造の鋼製サイロは、鉛直方向に隣接する外壁パネル（円筒形リング）１０、１０について、その外面側を面一に揃えて構築する場合（図６Ａ参照）と、内面側を面一に揃えて構築する場合（図６Ｂ参照）とがある。
よって、外壁パネル１０、１０の外面側を面一に揃えて構築する場合は、図６Ａに示したように、前記ガイドピース１の鋼板ブロック４を外壁パネル１０、１０の外面側に当てがって実施し、外壁パネル１０、１０の内面側を面一に揃えて構築する場合は、図６Ｂに示したように、前記ガイドピース１の鋼板ブロック４を外壁パネル１０、１０の内面側に当てがって実施する。以下に説明する実施例２についても同様の技術的思想とする。
【実施例２】
【００３８】
図７は、実施例２に係るガイドピース１１を示している。このガイドピース１１は、鋼製サイロ９を構成する外壁パネル１０の端縁同士を、図８Ａ又は図１０Ａに示したように、周方向又は鉛直方向に突き合わせ溶接接合するために用いるガイドピース１１であり、屈曲線材１３と鋼板ブロック１４とからなる。前記屈曲線材１３は、屈曲部１３ａと該屈曲部１３ａから伸びる両腕部１３ｂとからなる楔挿入部１２を有し、前記鋼板ブロック１４のほぼ中央部の左右両側に前記両腕部１３ｂが接合されている。
ちなみに、この実施例２に係るガイドピース１１は、鋼板ブロック１４における屈曲線材１３の取付部位に溝１４ａ、１４ａを形成して実施している点が、貫通孔４ａ、４ａを形成して実施している上記実施例１に係るガイドピース１と相違する。
【００３９】
具体的に、前記ガイドピース１１は、隣接する外壁パネル１０、１０の突き合わせ縁間に介在させる金属製の線材１３と、当該外壁パネル１０、１０に跨る裏当用の金属製の鋼板１４とからなる。
図示例に係る屈曲線材１３は、屈曲部１３ａと両腕部１３ｂとで、テーパー部を有する楔５を打ち込むのに適正な大きさのＵ字状の楔挿入部１２を形成し、その両腕部１３ｂを、鋼板ブロック１４の中央部の幅方向両端近くに設けた溝１４ａへほぼ直角方向に通し、抜け止め手段を施して鋼板ブロック１４に取り付けられている。
なお、図示例に係る屈曲線材１３の楔挿入部１２はＵ字状で実施しているがこれに限定されず、楔５を挿入することができれば、Ｖ字状でも角形状でも同様に実施することができる。
【００４０】
前記抜け止め手段は、屈曲線材１３の両腕部１３ｂの先端部をそれぞれ内方へ屈曲させるだけの簡易な構造で実施し、溶接等の接合手段は一切なされていないが、これに限定されない。例えば、前記内方へ屈曲した屈曲線材１３の両腕部１３ｂの先端部同士を点付け溶接する等の工夫は適宜行われる。
【００４１】
ちなみに、本実施例で用いるガイドピース１１の寸法は、図７について、符号Ｒ＝２７．５mm、Ｓ＝１６mm、Ｔ＝４．５mm、Ｕ＝φ２．３mm、Ｖ＝２９．８mm、Ｗ＝２５mm、Ｘ＝３０mm、Ｙ＝６０mm、Ｚ＝４．５mmで実施しているが勿論これに限定されず、作業員の手指で取扱い易い大きさ及び重量であればよい。ただし、前記楔５を打ち込む作業に十分に耐えうる剛性は要求される。
【００４２】
上記構成のガイドピース１１を用い、周方向に隣接する外壁パネル１０、１０を接合する方法は、上記実施例１と同様である。
すなわち、先ず図８Ａに示したように、前記ガイドピース１１の鋼板ブロック１４を、周方向に隣接する外壁パネル１０、１０の内面側（又は外面側）にほぼ均等に跨るように横向きに当てがい、前記外壁パネル１０、１０の突き合わせ縁間から外面側（又は内面側）へ楔挿入部１２を突き出させた屈曲線材１３を当該外壁パネル１０、１０で挟持させる構成で、複数のガイドピース１１を１５０ｍｍ〜４００ｍｍ程度のピッチで位置決めして目地を揃える。
次に、前記屈曲線材１３の楔挿入部１２内に楔５をほぼ水平に打ち込み、隣接する外壁パネル１０、１０の面の段違いをなくす。
前記ガイドピース１１の位置決めは、その屈曲線材１３を、前記外壁パネル１０、１０で挟持させるまで、或いは楔５を打ち込むまで作業員が手指で押さえたり、図８Ｂに示したように、いずれか一方の外壁パネル１０の周方向端部に点付け溶接する等の手法が、作業員の員数等に応じて適宜採用される。
【００４３】
続いて、前記外壁パネル１０、１０の周方向端部の対応する位置に予め仮付けされたアングル材（寄せピース）６、６のボルト孔の位置合わせを行い、当該一致したボルト孔にボルト７を通しナット８をねじ込み締結する。かくして、隣接する外壁パネル１０、１０の目地は厳密に揃えられ、当該外壁パネル１０、１０のずり動きも確実に防止される。
しかる後、周方向に隣接する外壁パネル１０、１０の突き合わせ縁間における前記ガイドピース１１を除く部位に、当該外壁パネル１０、１０の外面側及び内面側から両面溶接を行う。
【００４４】
続いて、前記楔５を楔挿入部１２から取り外し、図９に示したように、前記ガイドピース１１の屈曲線材１３を、周方向に隣接する外壁パネル１０、１０の外面側および内面側で溶断する。屈曲線材１３における前記外壁パネル１０、１０の外面側の溶断作業は、当該外壁パネル１０、１０の外側面に沿って溶断し、内面側の溶断作業は、鋼板ブロック１４の裏面側の屈曲線材１３（両腕部１３ｂ）の屈曲部で溶断して行う。この溶断作業は、細い屈曲線材１３（φ２．３mm）を溶断するだけなので、容易にスムーズに行うことができる。
ちなみに、図９中の符号２７は、前記内面側の溶断作業により鋼板ブロック１４の厚み分だけ外壁パネル１０、１０の内側面から突き出した両腕部１３ｂの突出部を示している。この突出部２７は、前記内面側の溶断作業後、速やかに溶断して撤去される。
【００４５】
しかる後、溶断することにより形成された隙間部２６を溶接し、もって周方向に隣接する外壁パネル１０、１０を溶接接合する。
【００４６】
以上の手順を周方向に隣接する外壁パネル１０、１０について繰り返し行うことにより、鋼製サイロの一段部分を担う円筒形リングを構築する。前記円筒形リングは、鋼製サイロの所要高さに応じて複数構築される。
なお、前記屈曲線材１３を溶断することにより撤去された鋼板ブロック１４は、屈曲線材１３を楽に取り外すことができる。よって、溶断された屈曲線材１３を取り外した鋼板ブロック１４を転用し、屈曲部１３ａと両腕部１３ｂとからなる新たな屈曲線材１３を取り付けることにより、ガイドピース１１を簡易に製作（再生）することができる。再生したガイドピース１１は、事後に行う外壁パネル１０、１０の溶接接合作業に使用される。
【００４７】
鉛直方向に隣接する外壁パネル（円筒形リング）を接合する方法も、上記実施例１と同様に行われる。
すなわち、周方向に隣接する外壁パネル１０、１０を繰り返し溶接接合して構築した前記円筒形リングの上に、別異に構築した円筒形リングを積み重ねる際に、図１０Ａに示したように、前記ガイドピース１１の鋼板ブロック１４を、鉛直方向に隣接する外壁パネル１０、１０の内面側（又は外面側）にほぼ均等に跨るように当てがい、前記外壁パネル１０、１０の突き合わせ縁間から外面側（又は内面側）へ楔挿入部１２を突き出させた屈曲線材１３を当該外壁パネル１０、１０で挟持させる構成で、複数のガイドピース１１を１５０ｍｍ〜４００ｍｍ程度のピッチで位置決めして目地を揃える。
次に、前記屈曲線材１３の楔挿入部１２内に楔５をほぼ鉛直に打ち込み、隣接する外壁パネル１０、１０、ひいては円筒形リングの面の段違いをなくす。
前記ガイドピース１１の位置決めは、円筒形リングを構成する外壁パネル１０の上端に単に掛け留めたり、その屈曲線材１３を前記外壁パネル１０、１０で挟持させるまで、或いは楔５を打ち込むまで作業員が手指で押さえたり、図１０Ｂに示したように、下位の外壁パネル１０の上端に点付け溶接する等の手法が、作業員の員数等に応じて適宜採用される。
【００４８】
なお、図示例に係る鉛直方向に隣接する外壁パネル１０、１０は、同厚（同形・同大）で実施している。よって、前記ガイドピース１１は、その鋼板ブロック１４を外壁パネル１０、１０の外面側に当てがって実施することも勿論できる。
ちなみに図１０Ａの符号１５は、必要に応じて外壁パネル１０の上端部に仮付けされる案内板を示している。当該案内板１５は、鉛直方向の外壁パネル１０、１０の接合作業が終了次第、適宜溶断して撤去される。
【００４９】
しかる後、鉛直方向に隣接する外壁パネル１０、１０の突き合わせ縁間における前記ガイドピース１１を除く部位に、当該外壁パネル１０、１０の外面側及び内面側から両面溶接を行う。
【００５０】
続いて、前記楔５を楔挿入部１２から取り外し、図１１に示したように、前記ガイドピース１１の屈曲線材１３を、鉛直方向に隣接する外壁パネル１０、１０の外面側および内面側で溶断する。屈曲線材１３における前記外壁パネル１０、１０の外面側の溶断作業は、当該外壁パネル１０、１０の外側面に沿って溶断し、内面側の溶断作業は、鋼板ブロック１４の裏面側の屈曲線材３（両腕部１３ｂ）の屈曲部で溶断して行う。この溶断作業は、細い屈曲線材１３（φ２．３mm）を溶断するだけなので、容易にスムーズに行うことができる。
ちなみに、図１１中の符号２７は、前記内面側の溶断作業により鋼板ブロック１４の厚み分だけ外壁パネル１０、１０の内側面から突き出した両腕部１３ｂの突出部を示している。この突出部２７は、前記内面側の溶断作業後、速やかに溶断して撤去される。
【００５１】
しかる後、溶断することにより形成された隙間部２６を溶接し、もって鉛直方向に隣接する外壁パネル１０、１０、ひいては上下に積み重ねた円筒形リングを溶接接合する。
【００５２】
以上の手順を鉛直方向に隣接する外壁パネル１０、１０（円筒形リング）について、作業足場を仮設する等して繰り返し行うことにより、所要高さの鋼製サイロを構築する。
なお、前記屈曲線材１３を溶断することにより撤去された鋼板ブロック１４は、屈曲線材１３を楽に取り外すことができる。よって、溶断された屈曲線材１３を取り外した鋼板ブロック１４を転用し、屈曲部１３ａと両腕部１３ｂとからなる新たな屈曲線材１３を取り付けることにより、ガイドピース１１を簡易に製作（再生）することができる。再生したガイドピース１１は、事後に行う外壁パネル１０、１０の溶接接合作業に使用することができる。
【００５３】
したがって、実施例２に係るガイドピース１（図７参照）、及び前記ガイドピースを用いた外壁パネルの接合方法（図８〜図１１参照）によれば、上記実施例１と同様の作用効果を奏する。
すなわち、従来技術に係るガイドピース（図１２参照）、及び前記ガイドピースを用いた外壁パネルの接合方法（図１３、図１４参照）と比して、前記ガイドピース１１を、屈曲線材１３を鋼板ブロック１４に取り付けるだけの簡易な構成で実施できるので、熟練技術も無用となり、部材単価の削減に寄与する。また、溶断する対象は細い屈曲線材１３のみであるから、簡易でスムーズな溶断作業を行うことができ、施工性も向上する。さらに、屈曲線材１３を溶断した後の鋼板ブロック１４は、ガイドピース１１の製作に容易に転用できるのでコスト削減に大いに寄与すると共に、環境保全性に優れている。
これらの作用効果は、鋼製サイロを構築するにあたり、通常、数百個程度のガイドピース１１を用いることを考慮すると顕著にあらわれる。よって、経済性、施工性、及び環境保全性に非常に優れた前記ガイドピース１１、及び同ガイドピース１１を用いた外壁パネル１０、１０の接合方法を実現することができる。
【００５４】
以上に実施例１、２を図面に基づいて説明したが、本発明は、図示例の実施例の限りではなく、その技術的思想を逸脱しない範囲において、当業者が通常に行う設計変更、応用のバリエーションの範囲を含むことを念のために言及する。
【００５５】
例えば、本発明に係る鋼製サイロの外壁パネルの接合方法は、図１と図７に示したガイドピースを用いて実施しているがこれに限定されない。
要するに、本発明に係る鋼製サイロの外壁パネルの接合方法に用いるガイドピースは、前記屈曲線材３に相当する楔挿入部を有する楔保持部と、前記鋼板ブロック４に相当する平面部と備えていれば種々のバリエーションのガイドピースを製作することができ、上記実施例１、２で説明したような同様の手順で、鋼製サイロの外壁パネルの接合方法を実施することができる。
すなわち、前記楔保持部と前記平面部とからなるガイドピースを用いた鋼製サイロの外壁パネル１０、１０の接合方法は、周方向又は鉛直方向に隣接する外壁パネル１０、１０の内面側または外面側に跨るように前記ガイドピースの平面部を当てがい、該ガイドピースから突出した楔挿入部を有する楔保持部を前記隣接する外壁パネル１０、１０の間から外面側または内面側に突き出させた後、前記突き出た楔保持部の楔挿入部内に楔５を挿入し、当該隣接する外壁パネル１０、１０で挟持させて、隣接する外壁パネル１０、１０の面の段違いをなくす。
次いで、隣接する外壁パネル１０、１０の突き合わせ縁間における前記ガイドピースを除く部位を溶接した後、前記楔５を取り外し、前記突き出た楔保持部を当該隣接する外壁パネルの外面側および内面側で溶断する。
前記溶断することにより形成された隙間を溶接し、もって周方向又は鉛直方向に隣接する外壁パネルを溶接接合することができる。
【００５６】
前記楔保持部を溶断することにより撤去された平面部は、溶断された楔保持部を楽に取り外すことができる。よって、溶断された楔保持部を取り外した平面部を転用し、新たな楔保持部を取り付けることにより、ガイドピースを簡易に製作（再生）することができる。このガイドピースは、事後に行う外壁パネル１０、１０の溶接接合作業に使用することができる。
なお、下位の外壁パネル１０と、該下位の外壁パネル１０よりパネル厚が薄い上位の外壁パネル１０とを鉛直方向に突き合わせ溶接する場合には、前記下位および上位の外壁パネル１０、１０の内面側又は外面側を面一に揃え、該面一に揃えた側に前記ガイドピースの平面部を当てがって実施する。
【符号の説明】
【００５７】
１    ガイドピース
２    楔挿入部
３    屈曲線材
３ａ  屈曲部
３ｂ  両腕部
４    鋼板ブロック
４ａ  貫通孔
５    楔
６    アングル材
７    ボルト
８    ナット
９    鋼製サイロ
１０    外壁パネル
１１    ガイドピース
１２    楔挿入部
１３    屈曲線材
１３ａ  屈曲部
１３ｂ  両腕部
１４    鋼板ブロック
１４ａ  溝
１５    案内材
１６    隙間部
１７    突出部
２６    隙間部
２７    突出部
【図１】
2012001917.tif 000003
【図２】
2012001917.tif 000004
【図３】
2012001917.tif 000005
【図４】
2012001917.tif 000006
【図５】
2012001917.tif 000007
【図６】
2012001917.tif 000008
【図７】
2012001917.tif 000009
【図８】
2012001917.tif 000010
【図９】
2012001917.tif 000011
【図１０】
2012001917.tif 000012
【図１１】
2012001917.tif 000013
【図１２】
2012001917.tif 000014
【図１３】
2012001917.tif 000015
【図１４】
2012001917.tif 000016